(57)【要約】【課題】表示片の機能性を高めると共に、簡単な構造で不正な改ざんを防止できる包装箱を提供する。【解決手段】箱体形成片１２から成り、連接された正面板１４、第一側面板１６、背面板１８、第二側面板２０、第一表示板２２、第二表示板２４が順に連接され、先の４つの板で筒状体を形成する。背面板１８の側端部に上蓋片４８と下蓋片５６が延設される。第一表示板２２の側端部に上側及び下側糊付フラップ７４，７８が延設され、各々が開封用切込線７６，８０で区切られる。第一及び第二表示板２２，２４を折り重ねて表示片８４を形成し、正面板１４に折り重ねる。上蓋片４８に上側糊付フラップ７４を重ねて糊付し、筒状体の一端を塞ぐ。下蓋片５６に下側糊付フラップ７８を重ねて糊付して筒状体の他端を塞ぐ。第二側面板２０と第一表示板２２は、切り離し用切込線３６で区切られていても良い。【選択図】図２
0003185841.tif 000002
【実用新案登録請求の範囲】
【請求項１】
一枚のブランクシートから一体的に打ち抜かれた箱体形成片から成り、前記箱体形成片には、正面板、第一側面板、背面板、第二側面板が順に互いに平行な折罫線を介して連接され、その連接方向の一端部に表示片が折罫線を介して連接され、
前記背面板には、前記連接方向に対して直角方向の双方の端部に、上蓋片及び下蓋片がそれぞれ延設され、前記第一表示板には、前記連接方向に対して直角方向の双方の端部に、上側糊付フラップ及び下側糊付フラップがそれぞれ延設され、前記表示片の端部のうち、前記上側糊付フラップ側の端部及び前記下側糊付フラップ側の端部にそれぞれ開封用切込線が設けられ、
組み立て状態で、前記正面板、前記第一側面板、前記背面板、前記第二側面板の表面を外側にして折り曲げ、当該４つの板を側板とする筒状体を形成し、前記表示片の裏面側を前記正面板の表面に折り重ね、前記上蓋片、前記上側糊付フラップを内側に順次折り曲げて、前記上蓋片の表面に前記上側糊付フラップの裏面を糊付けして前記筒状体の一方の開口端を塞ぎ、前記下蓋片、前記下側糊付フラップを内側に順次折り曲げて、前記下蓋片の表面に前記下側糊付フラップの裏面を糊付けして前記筒状体の他方の開口端を塞ぎ、
使用時は、前記表示片を前記正面板から引き起こす操作を行って前記開封用切込線を破断することによって開封することができることを特徴とする包装箱。
【請求項２】
前記上蓋片の先端部に、組み立て状態で前記正面板の内側に差し込まれる差込片が延設され、開封後、前記差込片により前記上蓋片を閉じた状態に保持できる請求項１記載の包装箱。
【請求項３】
前記表示片には、前記正面板に折り重なった状態で、前記正面板の側方に突出する開封用の摘み部が設けられている請求項１又は２記載の包装箱。
【請求項４】
前記箱体形成片には、前記正面板、前記再一側面板、前記背面板、前記第二側面板の連接方向の一端部に、第一表示板、第二表示板が順に互いに平行な折罫線を介して連接され、
組み立て状態で、前記第二表示板の裏面を前記第一表示板の裏面に折り重ねて糊付けされ、一体の前記表示片が形成され、前記第二表示片と前記第二側面板の間に切り離し用切込線が設けられ、前記切り離し用切込線を破断することによって前記表示片を前記筒状体から切り離すことができる請求項１、２又は３記載の包装箱。
【請求項５】
商品説明等の表示は、前記箱体形成片に展開された状態で、表面側に片面印刷されている請求項４記載の包装箱。
【考案の詳細な説明】
【技術分野】
【０００１】
本考案は、工場等で商品が収容され、そのまま小売店等の店頭に陳列されて使用される包装箱に関する。
【背景技術】
【０００２】
従来、特許文献１に示すように、矩形の箱体である本体（空容器体）に、表示片（広告等表示用フラップ）が折り曲げ自在に連成され、その折り曲げ部の一部に切れ目が形成された販売促進用陳列広告媒体があった。表示片は、ミシン目状に設けられた切れ目の端部同士が接触した際の摩擦係止力により、伸展させた状態に保持固定される。
【先行技術文献】
【特許文献】
【０００３】
【特許文献１】特開２０１０−８５９５号公報
【考案の概要】
【考案が解決しようとする課題】
【０００４】
特許文献１の販売促進用陳列広告媒体は、不正な改ざんを防止するための構造を備えていない。したがって、別途、開封部に開封防止シールを貼り付けたり、開封されるとその痕跡が残る判別シールを貼り付けたりする等の面倒な対策を行う必要があった。また、表示片を本体から切り離して単体で使用されることが想定されておらず、表示片を単体で使用するための使い易さ等について、特に考慮されていない。
【０００５】
本考案は、上記背景技術に鑑みて成されたものであり、表示片の機能性を高めると共に、簡単な構造で不正な改ざんを防止できる包装箱を提供することを目的とする。
【課題を解決するための手段】
【０００６】
本考案は、一枚のブランクシートから一体的に打ち抜かれた箱体形成片から成り、前記箱体形成片には、正面板、第一側面板、背面板、第二側面板が順に互いに平行な折罫線を介して連接され、その連接方向の一端部に表示片が折罫線を介して連接され、前記背面板には、前記連接方向に対して直角方向の双方の端部に、上蓋片及び下蓋片がそれぞれ延設され、前記第一表示板には、前記連接方向に対して直角方向の双方の端部に、上側糊付フラップ及び下側糊付フラップがそれぞれ延設され、前記表示片の端部のうち、前記上側糊付フラップ側の端部及び前記下側糊付フラップ側の端部にそれぞれ開封用切込線が設けられ、組み立て状態で、前記正面板、前記第一側面板、前記背面板、前記第二側面板の表面を外側にして折り曲げ、当該４つの板を側板とする筒状体を形成し、前記表示片の裏面側を前記正面板の表面に折り重ね、前記上蓋片、前記上側糊付フラップを内側に順次折り曲げて、前記上蓋片の表面に前記上側糊付フラップの裏面を糊付けして前記筒状体の一方の開口端を塞ぎ、前記下蓋片、前記下側糊付フラップを内側に順次折り曲げて、前記下蓋片の表面に前記下側糊付フラップの裏面を糊付けして前記筒状体の他方の開口端を塞ぎ、使用時は、前記表示片を前記正面板から引き起こす操作を行って前記開封用切込線を破断することによって開封することができる包装箱である。
【０００７】
前記上蓋片の先端部に、組み立て状態で前記正面板の内側に差し込まれる差込片が延設され、開封後、前記差込片により前記上蓋片を閉じた状態に保持できる。また、前記表示片には、前記正面板に折り重なった状態で、前記正面板の側方に突出する開封用の摘み部が設けられていることが好ましい。
【０００８】
前記箱体形成片には、前記正面板、前記再一側面板、前記背面板、前記第二側面板の連接方向の一端部に、第一表示板、第二表示板が順に互いに平行な折罫線を介して連接され、組み立て状態で、前記第二表示板の裏面を前記第一表示板の裏面に折り重ねて糊付けされ、一体の前記表示片が形成される構造でもよい。前記第二表示片と前記第二側面板の間に切り離し用切込線が設けられ、前記切り離し用切込線を破断することによって前記表示片を前記筒状体から切り離すことができるようにしてもよい。
【０００９】
前記摘み部は、前記第一表示板と前記第二表示板との境界部に、組み立て状態で前記表示片の端部から突出するように設けられていることが好ましい。商品説明等の表示は、前記箱体形成片に展開された状態で、表面側に片面印刷されている。
【考案の効果】
【００１０】
本考案の包装箱は、商品説明等を表示するための表示片を備えているので多くの情報を表示することができ、開封前の表示片を固定するする独特の構造により、改ざん防止の効果も得られる。また、組み立て易く、開封の操作も容易であり、開封後に表示片を切り離して使用することもでき、非常に便利である。
【図面の簡単な説明】
【００１１】
【図１】本考案の一実施形態の包装箱を組み立てた状態の外観を示す斜視図である。
【図２】この実施形態の包装箱の箱体形成片の裏面側を示す展開図である。
【図３】図２の箱体形成片を組み立てる工程を示す斜視図である。
【図４】この実施形態の包装箱を開封したときの外観を示す斜視図（ａ）、表示片を切り離したときの外観を示す斜視図（ｂ）である。
【図５】切り離された表示片の表裏の表示について説明する図（ａ），（ｂ）である。
【考案を実施するための形態】
【００１２】
以下、この考案の一実施形態について、図面に基づいて説明する。図１はこの考案の一実施形態の包装箱１０を示したもので、包装箱１０は、図２に示す箱体形成片１２を組み立てることによって形成されている。
【００１３】
箱体形成片１２は、厚紙等の一枚のブランクシートを打ち抜いて形成され、正面板１４、第一側面板１６、背面板１８、第二側面板２０、第一表示板２２が順に連接されている。この５つの板は、ほぼ同じ大きさの長方形である。さらに、第一表示板２２の側方に、第一表示板２２よりもやや外形が小さい第二表示板２４が連接され、正面板１４の側方には、組み立て状態で第二側面板２０の内側に糊付けされる細長い糊付片２６が連接されている。糊付片２６、正面板１４、第一側面板１６、背面板１８、第二側面板２０、第一表示板２２、第二表示板２４は、それぞれ折罫線２８，３０，３２，３４、切り離し用切込線３６、折罫線３８で区切られている。箱体形成片１２には、表面側に商品名やその他必要な情報が印刷されている。
【００１４】
正面板１４の連接方向に対して直角方向の一端部には、その中央部分を内側に切り欠いた半円状の切り欠き１４ａが設けられている。
【００１５】
第一側面板１６の一端部であって、正面板１４の切り欠き１４ａが形成された側には、略台形状のサイドフラップ４０が延設され、折罫線４２で第一側面板１６の端部と区切られている。サイドフラップ４０の延設長は、正面板１４の幅（連接方向の長さ）の約1/2である。第一側面板１６の反対側の端部にも、ほぼ同形状のサイドフラップ４４が延設され、折罫線４６で第一側面板１６と区切られている。
【００１６】
背面板１８の、サイドフラップ４０側の一端部には、略正方形の上蓋片４８が延設され、折罫線５０で背面板１８の端部と区切られている。上蓋片４８の延設長は、第一側面板１６の幅（連接方向の長さ）とほぼ等しい。さらに上蓋片４８の先端部に差込片５２が延設され、折罫線５４で上蓋片４８の端部と区切られている。差込片５２は、組み立て状態で正面板１４の内側に差し込まれる部分であり、切り欠き１４ａによる開口を塞ぐ程の大きさを有している。
【００１７】
背面板１８の、サイドフラップ４４側の一端部には、上蓋片４８とほぼ同形状の下蓋片５６が延設され、折罫線５８で背面板１８の端部と区切られている。さらに下蓋片５６の先端部に差込片６０が延設され、折罫線６２で下蓋片５６の端部と区切られている。差込片５２は、組み立て状態で正面板１４の内側に差し込まれる部分である。また、折罫線６２の両端部に、所定長さの切り込み６４が設けられている。
【００１８】
第二側面板２０の、上蓋片４８側の一端部には、サイドフラップ４０とほぼ同形状のサイドフラップ６６が延設され、折罫線６８で第二側面板２０の端部と区切られている。第二側面板２０の反対側の端部にも、サイドフラップ６６とほぼ同形状のサイドフラップ７０が延設され、折罫線７２で第二側面板２０と区切られている。
【００１９】
第一表示板２２の、サイドフラップ６６側の一端部には、略台形状の上側糊付フラップ７４が延設され、開封用切込線７６で第一表示板２２の端部と区切られている。上側糊付フラップ７４の延設長は上蓋片４８とほぼ同じであり、先端側がやや狭くなっている。第一表示板２２の反対側の端部には、上側糊付フラップ７４とほぼ同形状の下側糊付フラップ７８が延設され、折開封用切込線８０で第一表示板２２と区切られている。
【００２０】
第一表示板２２と第二表示板２４との境界部分は、折罫線３８の中央部分が省略され、その内側両端を始点とする台形状の切り込みが第二表示板２４に入る向きに形成され、その切り込みの内側部分が摘み部８２になっている。
【００２１】
次に、箱体形成片１２の組み立て方法の一例を説明する。以下、箱体形成片１２の表面側が凸になる折り方を正折り、裏面側が凹になる折り方を逆折りと称する。
【００２２】
まず、第二表示板２４の裏面に糊を塗布し、第二表示板２４を折罫線３８で正折りして第一表示板２２の裏面に重ねて糊付けする。この糊付けにより、第一及び第二表示板２２，２４が一体となった表示片８４が形成され、摘み部８２が表示片８４の端部から外向きに突出する。
【００２３】
この後、糊付片２６の表面に糊を塗布し、折罫線３０を正折りし、さらに折罫線３４を正折りすることによって、糊付片２６を第二側面板２０の裏面に糊付けする。
【００２４】
次に商品を包装する工場等において、折罫線２８，３０，３２，３４を各々９０度になるように正折りして、四角形の筒状体を形成する。そして、筒状体の底部となる一方の端部を閉鎖する。まず、サイドフラップ４４，７０を各々折罫線４６，７２で９０度に正折りし、差込片６０を折罫線６２で正折りし、下蓋片５６を折罫線５８で９０度に正折して差込片６０を正面板１４の内側に差し込む。差込片６０は、一対の切り込み６４がサイドフラップ４４，７０の端部と係合して強く抜け止めされ、それによって下蓋片５６がしっかり保持され、筒状体の底部となる。次に、筒状体の開放端（上蓋片４８側の端部）から商品等を入れる。
【００２５】
商品等を収容すると、開放端を閉鎖するため、まず、図３に示すように、サイドフラップ４０，６６を各々折罫線４２，６８で９０度に正折りし、差込片５２を折罫線５４で正折りし、上蓋片４８を折罫線５０で９０度に正折して差込片５２を正面板１４の内側に差し込む。差込片６０は、正面板１４やサイドフラップ４０，６６との接触摩擦により係止され、それによって上蓋片４８が保持され、筒状体の天井部となる。さらに、表示片８４を筒状体切り離し用切込線３６で９０度に正折し、第二表示板２２を正面板１４の表面に重ねる。
【００２６】
最後に、上側糊付フラップ７４の裏面に糊を塗布し、開封用切込線７６を９０度に正折りして上側糊付フラップ７４を上蓋片４８の表面に糊付けする。同様に、下側糊付フラップ７８の裏面に糊を塗布し、開封用切込線８０を９０度に正折りして下側糊付フラップ７８を下蓋片５６の表面に糊付けする。以上の動作によって包装箱１０の組み立て作業が終了し、図１の状態になる。
【００２７】
次に、商品等の使用者が包装箱１０を開封する操作について説明する。開封するときは、正面板１４の双方に突出する表示片８４の摘み部８２を指で摘まみ、図４（ａ）に示すように、表示片８４を正面板１４から引き上げるようにして開封用切込線７６，８０を破断させる。このとき、表示片８４は、第一及び第二表示板２２，２４の２枚分の強度があるので、引き上げるときに変形しにくい。また、上側及び下側糊付フラップ７４，７８は、表示片８４から切り離されるが、上蓋片４８と下蓋片５６にそれぞれ糊付されているので、分離してゴミになることはない。
【００２８】
開封用切込線７６，８０を破断した後は、切り欠き１４ａの内側に指を当てて差込片５２を抜き、上蓋片４８を引き上げ、サイドフラップ４０，６６を引き上げて筒状体の端部を開放し、中の商品を取り出す。さらに、商品を戻して再封するときは、サイドフラップ４０，６６を９０度に正折して元に戻し、上蓋片４８を９０度に正折して差込片５２を差し込んで、元に戻す。
【００２９】
さらに開封後、使用者は、切り離し用切込線３６を破断することによって、表示片８４を筒状体から切り離して使用することができる。表示片８４は、図５に示すように、２枚の表示板２２，２４が糊付けされて一体になっているので、折れ曲がったり破れたりしにくい。また、表裏の両面（第一表示板２２の表面、第二表示板２４の表面）に表示が現れ、情報量も多い。したがって、例えば、表示片８４を見やすい位置に吊下げたり、財布や洋服のポケットに入れたりするのに便利である。表示片８４は、筒状体の第二側面板２０に繋げたままの状態にしておいても構わない。
【００３０】
以上説明したように、包装箱１０によれば、商品説明等を表示するための表示片８４を側面板から延長されて備えているので、多くの情報を表示することができる。また、開封前、上側及び下側糊付フラップ７４，７８を上蓋片４８及び下蓋片５６に糊付する構造により、表示片８４がコンパクトに保持され、不正な改ざんを防止する効果も得られる。また、組み立て易く、開封の操作も容易であり、開封後に表示片８４を切り離して使用することもできるので、非常に便利である。しかも、表示片８４の表裏の表示は、箱体形成片１２の状態で表面側だけに印刷すればよいので、表示片８４以外の各部の表示と合わせ、効率よく印刷することができる。
【００３１】
なお、本考案の包装箱は上記実施形態に限定されるものではない。例えば、上記の包装箱１０は、第一表示板２２と第二表示板２４を折り重ねて糊付しているが、糊付けを省略し、左右に開いて使用できるようにしてもよい。糊付けを省略したとしても、上記のように、開封する際に表示片８４が変形しにくいという点は同じである。また、箱体形成片１２の素材や板厚の関係で、第一表示板２２単体でも変形しにくい場合、第二表示板２４を省略し、第一表示板２２だけの表示片としてもよい。
【００３２】
包装箱１０の場合、上蓋片４８は、差込片５２、サイドフラップ４０，４６、及び切り欠き１４ａの構造により開閉自在になっているが、その他の公知な構造を用いて開閉自在にしてもよい。また、下蓋片５６は、差込片５２、サイドフラップ４０，４６及び切り込み６４の構造により開きにくい構造になっているが、その他の公知な構造を用いて開きにくくしてもよい。反対に、上蓋片４８のように、下蓋片５６も開閉自在な構造にしてもよい。
【００３３】
包装箱１０は、開封を容易にするための摘み部８２が設けてあるが、上記と同様の操作が可能であれば、摘み部８２の形態は自由に変更でき、例えば、表示板８４の折罫線３８側の端部全体を摘み部とし、正面板１４の側方に大きく突出させてもよい。また、必要に応じて摘み部を省略しても構わない。
【００３４】
箱体の大きさ、素材、各部の形状等は適宜変更可能である。例えば、第一及び第二側面板１６，２０の幅（連接方向長さ）を正面板１４及び背面板１８の幅よりも短くして、内側が長方形の包装箱にしてもよい。また、箱体の側面となる正面板、第一側面板、背面板、第二側面板の用語は、本考案の包装箱の構成を特定するために定義したものであり、使用する際にどの面を正面にするかは自由である。例えば、背面板に商品名を大きく目立つように印刷表示し、店頭に陳列するとき背面板を正面に向けて並べるようにしてもよい。
【符号の説明】
【００３５】
１０  包装箱
１２  箱体形成片
１４  正面板
１６  第一側面板
１８  背面板
２０  第二側面板
２２  第一表示板
２４  第二表示板
３６  切り離し用切込線
４８  上蓋片
５６  下蓋片
７４  上側糊付フラップ
７６  開封用切込線
７８  下側糊付フラップ
８０  開封用切込線
８２  摘み部
８４  表示片
【図１】
0003185841.tif 000003
【図２】
0003185841.tif 000004
【図３】
0003185841.tif 000005
【図４】
0003185841.tif 000006
【図５】
0003185841.tif 000007